(57)【要約】      （修正有）【課題】例えば、操作性に優れたレンズ装置を提供する。【解決手段】レンズ本体１００と、グリップ部材と、グリップ部材をレンズ本体１００に取り付けている取付部材とを有するレンズ装置であって、取付部材は、レンズ本体１００の光軸方向にグリップ部材を移動調節及び固定可能な構成を有することを特徴とする。【選択図】図２
2019159224.tif 000002
【特許請求の範囲】
【請求項１】
レンズ本体と、
グリップ部材と、
前記グリップ部材を前記レンズ本体に取り付けている取付部材と、
を有するレンズ装置であって、
前記取付部材は、前記レンズ本体の光軸の方向に成分を有する移動方向において可動に前記グリップ部材を前記レンズ本体に取り付けていることを特徴とするレンズ装置。
【請求項２】
前記取付部材は、前記移動方向において可動の前記グリップ部材を固定する固定部材を有することを特徴とする請求項１に記載のレンズ装置。
【請求項３】
前記取付部材は、傾動可能に前記グリップ部材を前記レンズ本体に取り付けていることを特徴とする、請求項１又は２に記載のレンズ装置。
【請求項４】
前記取付部材は、傾動可能な前記グリップ部材を固定する固定部材を有することを特徴とする請求項３に記載のレンズ装置。
【請求項５】
前記取付部材は、前記移動方向に延びる凹部と、前記凹部に沿って可動な凸部とが形成されていることを特徴とする請求項１乃至４のうちいずれか１項に記載のレンズ装置。
【請求項６】
前記取付部材は、前記移動方向に延びるガイド部材を含み、かつ前記ガイド部材を収容する空間が形成されていることを特徴とする請求項１乃至５のうちいずれか１項に記載のレンズ装置。
【請求項７】
前記取付部材は、前記ガイド部材を挟持する一対の部材を含み、
前記一対の部材は、互いに噛み合う一対の菊座をそれぞれ有することを特徴とする請求項６に記載のレンズ装置。
【請求項８】
前記ガイド部材を挟持するために前記一対の部材を締結する締結部材を有することを特徴とする請求項７に記載のレンズ装置。
【請求項９】
前記一対の部材の少なくとも一方と前記ガイド部材とは、互いに対向する２つの摩擦面をそれぞれ有することを特徴とする請求項７又は８に記載のレンズ装置。
【請求項１０】
前記ガイド部材による前記グリップ部材の移動範囲を規制する規制部材を更に有することを特徴とする請求項６乃至９のうちいずれか１項に記載のレンズ装置。
【請求項１１】
請求項１乃至１０のうちいずれか１項に記載のレンズ装置と、
前記レンズ装置の像面に配された撮像素子と、
を有することを特徴とする撮像装置。
【発明の詳細な説明】
【技術分野】
【０００１】
本発明は、レンズ装置及び撮像装置に関する。
【背景技術】
【０００２】
従来、撮像素子を有するカメラ本体に着脱自在に取り付けられるレンズ装置が知られている。このようなレンズ装置を取り付けたカメラは、それを撮影者が肩に担いだり手持ちしたりして撮影を行う。その場合、撮影者は、レンズ装置に設けられたグリップ部を手で把持してカメラ本体やレンズ装置の操作を行う。
【０００３】
特許文献１には、グリップの位置が光軸周りに回転自在とされるレンズ装置が開示されている。当該レンズ装置は、その鏡胴に取り付けられるグリップと、鏡胴の外周を包囲するようにリング状に配置されたグリップの固定具とが設けられている。当該レンズ装置は、固定具が光軸を中心として回転することで、グリップの位置が光軸周りにおいて可変とされている。
【先行技術文献】
【特許文献】
【０００４】
【特許文献１】特開２０１５−０７９０１５号公報
【発明の概要】
【発明が解決しようとする課題】
【０００５】
従来、撮影者は、グリップ部を手のひらで支持してカメラ全体のバランスを取り、グリップ部に設けられたズーム操作等のための操作部材の操作を行う。ここで、カメラ（撮像装置）は、カメラ本体とレンズ装置との組合せにより、全体の質量や光軸方向の重心位置が異なり得る。また、撮影者の体格差によって、カメラのモニタを注視する顔の位置や、グリップ部を把持するための腕の位置が異なり得る。
【０００６】
特許文献１のレンズ装置は、グリップの位置をレンズ装置の光軸の周りにおいて変更することはできるが、それ以外には、グリップの配置の自由度はない。そのため、グリップを適切な位置に配置し、操作を行うことが困難であった。例えば、当該光軸の方向においてグリップの配置の自由度がないため、撮影者の顔又は肩とグリップとの距離が調整できないことから、撮影者の体格によっては操作性の点で不利であった。
【０００７】
本発明は、例えば、操作性の点で有利なレンズ装置を提供することを目的とする。
【課題を解決するための手段】
【０００８】
本発明の一実施態様によるレンズ装置は、レンズ本体と、グリップ部材と、前記グリップ部材を前記レンズ本体に取り付けている取付部材とを有するレンズ装置であって、前記取付部材は、前記レンズ本体の光軸の方向に成分を有する移動方向において可動に前記グリップ部材を前記レンズ本体に取り付けていることを特徴とする。
【発明の効果】
【０００９】
本発明によれば、例えば、操作性の点で有利なレンズ装置を提供することができる。
【図面の簡単な説明】
【００１０】
【図１】実施例１によるレンズ装置の概略的な構成を示す。
【図２】実施例１に係る鏡胴へのグリップ部材の取り付けを説明する図である。
【図３】実施例１に係るグリップ側の菊座の概略的な構成を示す。
【図４】実施例１に係る鏡胴側の接続部の概略的な構成を示す。
【発明を実施するための形態】
【００１１】
以下、本発明を実施するための例示的な実施例を、図面を参照して詳細に説明する。ただし、以下の実施例で説明する寸法、材料、形状、及び構成要素の相対的な位置等は任意であり、本発明が適用される装置の構成又は様々な条件に応じて変更できる。また、図面において、同一であるか又は機能的に類似している要素を示すために図面間で同じ参照符号を用いる。なお、本明細書において、略光軸方向とは、光軸方向から僅かにずれた方向も含む方向をいい、略直角とは、直角から僅かにずれた角度も含む角度をいう。
【００１２】
（実施例１）
以下、図１乃至４を参照して、本発明の実施例１によるレンズ装置、特にレンズ装置を支持するグリップ部材を備え、グリップ部材がレンズ鏡胴に対して着脱可能な機構を有しているレンズ装置について説明する。このようなレンズ装置は、レンズ装置の像面に配された撮像素子とともに、カメラ（撮像装置）を構成することができる。図１は、本実施例によるレンズ装置の概略的な構成を示す。なお、図１にはレンズ鏡胴の光軸が一点鎖線で示されている。
【００１３】
本実施例によるレンズ装置には、鏡胴１００（レンズ本体）、及びレンズ装置を保持するためのグリップ部材２００が設けられている。図１に示すように、グリップ部材２００は、鏡胴１００の側面に着脱可能に取り付けられる。
【００１４】
鏡胴１００には、紙面左側の前方部から中間部にかけて、フォーカス操作リング１、ズーム操作リング２、及びアイリス操作リング３が光軸を中心に回転可能に設けられている。また、鏡胴１００の後方部（紙面右側）には、レンズ装置をカメラ本体（不図示）に取り付けるためのマウント４が設けられている。
【００１５】
一方、グリップ部材２００には、撮影者がレンズ装置を保持するためのグリップ形状を成す筐体５が設けられている。筐体５の表面には、レンズ装置のズーム操作を行うシーソースイッチ６が設けられている。撮影者はシーソースイッチ６を前側（紙面左側）への押し込むことで望遠側へ、後側（紙面右側）への押し込むことで広角側へレンズ装置の画角を変化させることができる。また、グリップ部材２００の後面には、鏡胴１００内に配設されたズーム駆動部（図示せず）へ駆動指令を伝達する接続ケーブル７が取り付けられており、接続ケーブル７は鏡胴１００のコネクタ部８へ接続される。
【００１６】
グリップ部材２００側の鏡胴１００の外周には、鏡胴１００の略光軸方向に延在する固定台９及び保持枠１２が配置されている。固定台９は、鏡胴１００の前側と後側に設けられた固定部材１１で鏡胴１００の外周面に固定されている。また、グリップ部材２００と接する保持枠１２は、鏡胴１００の前側と後側の固定部材１３を介して固定台９に固定されている。固定台９と保持枠１２の間には菊座１４（ロゼット）が設けられている。菊座１４は、後述するグリップ部材２００側の菊座２０と互いの接続面で接し、保持枠１２を挟持することで、グリップ部材２００を固定することができる。なお、固定部材１１，１３の数及び位置は所望の構成に応じて任意に変更されてよい。
【００１７】
次に、図２（ａ）乃至４を参照して、鏡胴１００とグリップ部材２００の接続部について詳細を説明する。図２（ａ）及び（ｂ）は、本実施例に係る鏡胴１００へのグリップ部材２００の取り付けを説明する図であり、図１に示されるＡ−Ａ線におけるグリップ部材２００と鏡胴１００の接続部の断面を示す。図２（ａ）は、グリップ部材２００を鏡胴１００に取り付ける前のグリップ部材２００側の接続部を示す。図２（ｂ）は、グリップ部材２００を鏡胴１００に取り付けた際の接続部を示す。
【００１８】
図２（ａ）に示すように、グリップ部材２００側の接続部には、菊座２０及び連結ネジ２５（締結部材）が設けられている。ここで、図３は、鏡胴１００側から見た菊座２０の概略的な構成を示す。図３に示すように、菊座２０は略円形状を成し、菊座２０の鏡胴１００側には、略円形状の接続面２１及び摩擦抵抗の高い摩擦板２７（摩擦面）が設けられている。接続面２１は、円中心を中心として放射状に延在する凹部と凸部からなる複数の歯を有する。本実施例では、摩擦板２７が菊座２０の中心に近い側に設けられ、接続面２１が菊座２０の外縁に近い側に設けられている。また、摩擦板２７は、厚み方向において接続面２１よりも鏡胴１００側に一段突出するように設けられている。連結ネジ２５は、グリップ部材２００の筐体５の孔部及び菊座２０の中心に設けられた孔部を通って延在する。連結ネジ２５の先端部にはネジ部２８が設けられている。
【００１９】
一方、鏡胴１００側の接続部には、固定台９と、保持枠１２と、菊座１４とが設けられている。ここで、固定台９は上述のように固定部材１１によって鏡胴１００に固定されており、保持枠１２は固定部材１３によって固定台９に固定されている。菊座１４は、固定台９と保持枠１２との間に配置される。
【００２０】
図２（ｂ）に示すように、菊座１４は、固定台９側に向けて凸形状を成し、鏡胴１００の略光軸方向に延在する固定台９の溝部１５に収容されている。菊座１４の固定台９側の凸形状における上側と下側の面１６ａ、１６ｂ（外縁）は、それぞれ対向する溝部１５の面１７ａ、１７ｂ（内縁）と略隙間嵌合の状態で接している。
【００２１】
ここで、図４は、図２（ｂ）に示される矢印Ｂ方向から見た、鏡胴１００側の接続部の概略的な構成を示す。菊座１４は、図４に示すように、グリップ部材２００側に対して略円形状を成し、中心部に鏡胴１００の略光軸方向に延在する溝部１８（空間）が設けられている。菊座１４の溝部１８より上側の箇所と下側の箇所には、半円形状の接続面１９ａ，１９ｂが設けられている。接続面１９ａ，１９ｂは円中心を中心として放射状に延在する凹部と凸部からなる複数の歯を有する。グリップ部材２００を固定する際には、菊座１４の接続面１９ａ，１９ｂの歯が、対向する菊座２０の接続面２１の歯と互いに噛み合って、グリップ部材２００の回転角度が固定される。また、菊座１４の中心には孔部が設けられ、孔部の内周部には、連結ネジ２５のネジ部２８に螺合するネジ部２９が設けられている。
【００２２】
保持枠１２には、鏡胴１００の略光軸方向に延在するスライド部材２２（ガイド部材）及び長穴２３が設けられている。また、鏡胴１００の略光軸方向に延在する長穴２３の両端部には、ストッパ部材２４が設けられている。保持枠１２は、スライド部材２２の四隅で固定部材１３を介して固定台９に固定される。
【００２３】
スライド部材２２は、菊座１４の溝部１８に収容され、これにより、菊座１４は、保持枠１２と固定台９との間で保持される。また、長穴２３はグリップ部材２００の孔部を通って延在する連結ネジ２５の通し穴を構成する。スライド部材２２のグリップ部材２００側の表面には、スライド部材２２の延在方向に沿って摩擦抵抗の高い摩擦板２６が設けられている。摩擦板２６は、図２（ｂ）に示すように、菊座２０の摩擦板２７と対向するように配置されるとともに、厚さ方向において菊座１４の接続面１９ａ，１９ｂの高さより、鏡胴１００側に一段凹んだ位置に配置されている。摩擦板２６、２７の表面は、不規則な粒状性の凹凸で形成されており、グリップ部材２００を固定する際には、互いに接触することで、グリップ部材２００の鏡胴１００に対する移動を抑制する。
【００２４】
続いて、図２（ｂ）を参照して、グリップ部材２００を鏡胴１００に取り付ける際の操作について説明する。撮影者は、グリップ部材２００を鏡胴１００に取り付けて使用する場合、グリップ部材２００の連結ネジ２５を回して、ネジ部２８を菊座１４のネジ部２９に螺合させる。これにより、菊座１４に対して菊座２０が締め付けられ、菊座１４，２０によって保持枠１２のスライド部材２２が挟持される。
【００２５】
連結ネジ２５の締付途中では、菊座１４は固定台９の溝部１５に沿って鏡胴１００の略光軸方向へ移動することができる。菊座１４は、連結ネジ２５を介して菊座２０及びグリップ部材２００と一体的に動かされる。そのため、撮影者は鏡胴１００の略光軸方向における適切な位置にグリップ部材２００の位置を調整することができる。このとき、菊座１４は、長穴２３の両端部に設けられたストッパ部材２４（規制部材）に当接することで移動が規制される。そのため、撮影者は、ストッパ部材２４によって規制される移動範囲内でグリップ部材２００の位置調整を行うことができる。
【００２６】
また、連結ネジ２５の締付途中において菊座１４の接続面１９ａ，１９ｂと菊座２０の接続面２１が互いに噛み合っていないときには、菊座２０は菊座１４に対して回転することができる。ここで、菊座１４，２０は鏡胴１００の側面に設けられているため、グリップ部材２００は、菊座２０とともに、鏡胴１００の光軸方向に略直角な回転軸を中心として回転することができる。そのため、連結ネジ２５の締付途中では、鏡胴１００に対するグリップ部材２００の回転角度（傾き）を調整することができる。
【００２７】
グリップ部材２００の位置及び回転角度を調整後さらに連結ネジ２５を回すと、菊座１４の接続面１９ａ，１９ｂと菊座２０の接続面２１が噛み合ってグリップ部材２００の回転角度が固定される。また同時に、菊座１４，２０がスライド部材２２を挟持することで、グリップ部材２００の位置が固定される。この際、保持枠１２の摩擦板２６と菊座２０の摩擦板２７が接触することで、鏡胴１００の光軸方向におけるグリップ部材２００の位置がより強固に固定される。
【００２８】
上記のように、本実施例によるレンズ装置は、鏡胴１００（レンズ本体）と、鏡胴１００を支持するグリップ部材２００と、鏡胴１００の光軸の方向に成分を有する移動方向において可動にグリップ部材２００を鏡胴１００に取り付ける取付部材とを備える。取付け部材は、固定台９と、保持枠１２と、菊座１４，２０と、連結ネジ２５とを備える。固定台９及び保持枠１２は、鏡胴１００の外周部に設けられる。取付け部材は、グリップ部材２００を鏡胴１００に着脱自在に取り付けることができる。
【００２９】
より具体的には、固定台９は溝部１５を含み、溝部１５はグリップ部材２００の移動方向に延びる凹部を構成する。菊座１４は、溝部１５に収容され、溝部１５に沿って可動な凸部を含む。これにより、グリップ部材２００は、溝部１５に沿った菊座１４の移動に従って、鏡胴１００の略光軸方向に移動することができる。
【００３０】
また、菊座１４，２０は、互いに噛み合う一対の菊座であり、取付部材においてグリップ部材２００を鏡胴１００の略光軸方向に移動可能に保持する保持部材を構成する。また、連結ネジ２５は、グリップ部材２００、菊座１４，２０、及び保持枠１２を締め付けることで、グリップ部材２００の移動を規制して、グリップ部材２００の位置を固定することができる。このため、連結ネジ２５は、移動方向において可動のグリップ部材２００を固定する固定部材を構成する。
【００３１】
保持枠１２は、グリップ部材２００の移動方向に延びるスライド部材２２（ガイド部材）を含み、菊座１４は、グリップ部材２００の移動方向に延在し、スライド部材２２を収容する溝部１８（空間）を含む。また、菊座１４，２０（一対の菊座）は、連結ネジ２５によって締め付けられることで保持枠１２のスライド部材２２を挟持する一対の部材（挟持部材）を構成する。菊座１４，２０は、連結ネジ２５（締結部材）によって締結されることで互いに近づき、スライド部材２２を挟持する。これにより、グリップ部材２００の移動を規制することができる。また、保持枠１２は、スライド部２２によるグリップ部材２００の移動範囲を規制するストッパ部材２４を含む。
【００３２】
さらに、保持部材のスライド部材２２及び菊座２０はそれぞれ互いに対向する２つの摩擦板２７，２６（摩擦面）を含み、グリップ部材２００は、スライド部材２２の摩擦板２７及び菊座２０の摩擦板２６が互いに対向するように鏡胴１００に取り付けられる。これにより、グリップ部材２００が固定される際、摩擦板２６，２７が接触することでグリップ部材２００の移動がより強固に規制される。
【００３３】
なお、菊座１４，２０は、連結ネジ２５の締付途中では、互いに対して回転することができるため、グリップ部材２００を鏡胴１００に対して回転自在に保持することができる。そのため、取付部材は傾動可能にグリップ部材２００を鏡胴１００に取り付けることができる。菊座１４，２０は、連結ネジ２５によって締め付けられると互いの歯が噛み合い、互いに対する回転が規制される。このため、菊座１４，２０は傾動可能なグリップ部材２００を固定する固定部材を構成する。
【００３４】
以上のような構成により、本実施例によるレンズ装置では、鏡胴１００の光軸方向におけるグリップ部材２００の位置を調整することができる。このため、撮影者は、形状や質量の異なるカメラと光軸方向の長さが異なるレンズの様々な組み合わせや、撮影者の体格差に依存せず、撮影に適切なグリップ部材２００の位置で、レンズ装置の保持及び操作を行うことができる。また、本実施例によるレンズ装置では、鏡胴１００に対するグリップ部材２００の回転角度を調整することができ、撮影者は所望の角度でグリップ部材２００を把持して、レンズ装置を保持及び操作することができる。
【００３５】
また、本実施例によるレンズ装置では、連結ネジ２５による、グリップ部材２００、菊座１４，２０及び保持枠１２の締付により、グリップ部材２００の位置及び回転角度を同時に固定することができ、レンズ装置の操作性を向上させることができる。
【００３６】
なお、本実施例では連結ネジ２５によりグリップ部材２００を固定したが、グリップ部材２００を固定する手段はこれに限定されない。例えば、内部にコイルバネを有するレバー式のフックと引掛けの組み合わせや、その他の既知の手段を用いてもよい。なお、本実施例では、保持枠１２は固定台９を介して鏡胴１００に固定されているが、保持枠１２が直接鏡胴１００に固定されてもよい。そのため、取付部材は固定台９を備えなくてもよい。
【００３７】
また、本実施例では、菊座１４，２０によって、グリップ部材２００の移動及び回転に関する機構を構成したが、グリップ部材２００の移動機構及び回転機構は別個に設けられてもよい。例えば、グリップ部材２００の移動機構を既知の任意のスライダー機構によって構成し、回転機構をスライダー機構に設けた菊座等によって構成してもよい。
【００３８】
さらに、菊座１４，２０における接続面１９ａ，１９ｂ，２１、及び摩擦板２６，２７の配置は本実施例における配置に限られず、所望の構成に応じて任意に変更されてよい。また、摩擦面を有する摩擦板を菊座１４とスライド部材２２の向かい合う面に設けることもできる。これにより、グリップ部材２００が固定される際、摩擦板同士が接触することでグリップ部材２００の移動がより強固に規制される。そのため、互いに対向する摩擦面を有する摩擦板は、菊座１４，２０の少なくとも一方とスライド部材２２に設けることができる。
【００３９】
以上、実施例を参照して本発明について説明したが、本発明は上記実施例に限定されるものではない。本発明の趣旨に反しない範囲で変更された発明、及び本発明と均等な発明も本発明に含まれる。また、上述の各実施例及び変形例は、本発明の趣旨に反しない範囲で適宜組み合わせることができる。
【符号の説明】
【００４０】
１２：保持枠（取付部材）、１４，２０：菊座（取付部材）、２５：連結ネジ（取付部材）、１００：鏡胴（レンズ本体）、２００：グリップ部材
【図１】
2019159224.tif 000003
【図２】
2019159224.tif 000004
【図３】
2019159224.tif 000005
【図４】
2019159224.tif 000006